(57)【特許請求の範囲】
【請求項１】
台枠と送風装置、電源部を具備し、前記台枠前面に着脱可能な前面枠を設け、前記前面枠は天面に前記台枠との爪固定部を有し、さらに正面に前記台枠及び送風装置に固定するネジ固定部を有する空気調和機の室内ユニットにおいて、前記電源部の前面に位置する前記前面枠の一部に開閉可能な電源トビラを設け、前記電源トビラは上部に前記前面枠との軸固定部と下方に前記前面枠に固定するネジ固定部とを有しており、さらに前記電源トビラのネジ固定部で前記前面枠のネジ固定部を覆い隠したことを特徴とする空気調和機の室内ユニット。
【請求項２】
電源トビラのネジ固定部で前記前面枠のネジ固定部を半分覆い隠し、前記電源トビラのネジ固定部の下に前記前面枠のネジ固定部があることを目視可能にしたことを特徴とする請求項１記載の空気調和機の室内ユニット。
【発明の詳細な説明】
【技術分野】
【０００１】
本発明は、空気調和機に関し、さらに詳しくは空気調和機の室内ユニットの構成に関するものである。
【背景技術】
【０００２】
従来の空気調和機室内ユニットについて図面を参照しながら説明する。図６は従来の空気調和機の室内ユニットの電源部部分における正面図、図７は従来の空気調和機の室内ユニットの電源部部分における断面図である。
【０００３】
従来の空気調和機の室内ユニットは、図６、図７に示すように、台枠１と送風装置２、電源部３を具備し、台枠１前面に着脱可能な前面枠４を設け、前面枠４は、天面に前面枠４を台枠１に固定するための爪固定部５を、正面に前面枠４を台枠１及び送風装置２に固定するためのネジ固定部６を有している。
【０００４】
さらに前面枠４には、電源部３前面に位置する前面枠４の一部に開閉可能な電源トビラ７が設けられ、電源トビラ７は、上部に電源トビラ７を前面枠４に固定するための軸固定部８を、下方に電源トビラ７を前面枠４に固定するためのネジ固定部９を有している（例えば、特許文献１参照）。
【特許文献１】特公平７−２３７８１号公報
【発明の開示】
【発明が解決しようとする課題】
【０００５】
しかしながら、前記従来の構成では、安全性向上のために電源部の充電部分を難燃材で成形した電源トビラの裏面に壁を設け覆う構成とした場合において、サービス工事時前記電源トビラを前面枠に固定した状態で前記前面枠を取り外す際に、前記前面枠と台枠との爪固定部が天面に構成されているため、前記爪固定部を中心に前記前面枠を上方に回転させながら取り外そうとした場合に前記電源トビラ裏面の壁と前記電源部及び近傍の部品が干渉する可能性があり、前面枠取り外し軌跡も配慮したスペースの確保が必要とされる課題を有していた。
【０００６】
本発明は、前記従来の課題を解決するもので、電源トビラを前面枠に固定するネジ固定部で前面枠のネジ固定部を覆い隠したことで、電源トビラのネジを外さないと前面枠のネジも外せない構成となり、前面枠を取り外す際に起こる電源トビラ裏面の壁と電源部及び近傍の部品との干渉を防止しスペースの有効活用とサービス性を損なう事なく安全性の向上を図るものである。
【課題を解決するための手段】
【０００７】
前記従来の課題を解決するために、請求項１に記載の発明は、本発明の空気調和機の室内ユニットは、電源トビラを前面枠に固定するネジ固定部で前記前面枠のネジ固定部を覆い隠したことを特徴とするものである。
【０００８】
上記の構成によって、前面枠を取り外す際には電源トビラのネジを外さないと前面枠のネジも外せない構成となり、前記前面枠天面の爪固定部を中心に前記前面枠を上方に回転させながら取り外そうとした場合に前記電源トビラ裏面の壁と電源部及び近傍の部品が干渉しそうになっても、前記電源トビラが前記前面枠との軸固定部を中心に開き前記電源部及び近傍の部品と干渉することなく前記前面枠を取り外すことができ、電源部周辺のスペースの有効活用及びサービス性を損なう事なく安全性の向上を図ることができる。
【０００９】
また、請求項２に記載の発明は、電源トビラのネジ固定部で前記前面枠のネジ固定部を半分覆い隠し、前記電源トビラのネジ固定部の下に前記前面枠のネジ固定部があることを目視可能にしたことを特徴とするものである。
【００１０】
上記の構成によって、前面枠のネジ固定部の場所がわかり易くサービス性の向上を図ることができる。
【発明の効果】
【００１１】
本発明の空気調和機の室内ユニットは、電源トビラを前面枠に固定するネジ固定部で前記前面枠のネジ固定部を覆い隠したことにより、前記前面枠を取り外す際には前記電源トビラのネジを外さないと前記前面枠のネジも外せない構成となり、前記前面枠天面の爪固定部を中心に前記前面枠を上方に回転させながら取り外そうとした場合に前記電源トビラ裏面の壁と電源部及び近傍の部品が干渉しそうになっても、前記電源トビラが前記前面枠との軸固定部を中心に開き前記電源部及び近傍の部品と干渉することなく前記前面枠を取り外すことができ、電源部周辺のスペースの有効活用及びサービス性を損なう事なく安全性の向上を図ることができる。
【発明を実施するための最良の形態】
【００１２】
第１の発明は、電源トビラを前面枠に固定するネジ固定部で前記前面枠のネジ固定部を覆い隠したことを特徴とするものである。
【００１３】
これにより、前記前面枠を取り外す際には前記電源トビラのネジを外さないと前記前面枠のネジも外せない構成となり、前記前面枠天面の爪固定部を中心に前記前面枠を上方に回転させながら取り外そうとした場合に前記電源トビラ裏面の壁と電源部及び近傍の部品が干渉しそうになっても、前記電源トビラが前記前面枠との軸固定部を中心に開き前記電源部及び近傍の部品と干渉することなく前記前面枠を取り外すことができ、電源部周辺のスペースの有効活用及びサービス性を損なう事なく安全性の向上を図ることができる。
【００１４】
第２の発明は、電源トビラのネジ固定部で前記前面枠のネジ固定部を半分覆い隠し、前記電源トビラのネジ固定部の下に前記前面枠のネジ固定部があることを目視可能にしたことを特徴とするものである。これにより、前面枠のネジ固定部の場所がわかり易くサービス性の向上を図ることができる。
【００１５】
以下、本発明の実施の形態について、図面を参照しながら説明する。従来の技術で説明した図６、図７と共通の構成要素については同一番号を付して、詳細説明を省略する。なお、この実施の形態によって本発明が限定されるものではない。
【００１６】
（実施の形態１）
図１は本発明の第１の実施の形態による室内ユニットの斜視図である。図２は本発明の第１の実施の形態による室内ユニットの部分斜視図である。図３は本発明の第１の実施の形態による室内ユニットの電源部部分における断面図である。図４は本発明の第１の実施の形態による前面枠取り外し時の室内ユニットの電源部部分における断面図である。
【００１７】
図１、図２、図３、図４に示すように、電源トビラ７を前面枠４に固定するネジ固定部９で前面枠１のネジ固定部６を覆い隠したことを特徴とするものである。
【００１８】
これにより、前面枠１を取り外す際には電源トビラ７のネジを外さないと前面枠４のネジも外せない構成となり、前面枠４天面の爪固定部５を中心に前面枠４を上方に回転させながら取り外そうとした場合に電源トビラ７裏面の壁１０と電源部３及び近傍の部品が干
渉しそうになっても、電源トビラ７が前面枠４との軸固定部８を中心に開き電源部３及び近傍の部品と干渉することなく前面枠４を取り外すことができ、電源部３周辺のスペースの有効活用及びサービス性を損なう事なく安全性の向上を図ることができる。
【００１９】
（実施の形態２）
図５は本発明の第２の実施の形態による室内ユニットの部分斜視図である。
【００２０】
図５に示すように、電源トビラ７のネジ固定部９で前面枠４のネジ固定部６を半分覆い隠し、電源トビラ７のネジ固定部９の下に前面枠４のネジ固定部６があることを目視可能にしたことを特徴とするもので、これにより、前面枠４のネジ固定部６の場所がわかり易くサービス性の向上を図ることができる。
【産業上の利用可能性】
【００２１】
以上のように、本発明の空気調和機の室内ユニットは、電源部周辺のスペースの有効活用及びサービス性を損なう事なく安全性の向上を図ることができる空気調和機に適用可能である。
【図面の簡単な説明】
【００２２】
【図１】本発明の実施の形態１による室内ユニットの斜視図
【図２】本発明の実施の形態１による室内ユニットの電源部分における斜視図
【図３】本発明の実施の形態１による室内ユニットの電源部部分における断面図
【図４】本発明の実施の形態１による前面枠取り外し時の室内ユニットの電源部部分における断面図
【図５】本発明の実施の形態２による室内ユニットの電源部分における斜視図
【図６】従来の空気調和機の室内ユニットの電源部部分における正面図
【図７】従来の空気調和機の室内ユニットの電源部部分における断面図
【符号の説明】
【００２３】
１  台枠
２  送風装置
３  電源部
４  前面枠
５  爪固定部
６  前面枠のネジ固定部
７  電源トビラ
８  軸固定部
９  電源トビラのネジ固定部
１０  電源トビラの裏面の壁
【図１】
0004867866.tif 000002
【図２】
0004867866.tif 000003
【図３】
0004867866.tif 000004
【図４】
0004867866.tif 000005
【図５】
0004867866.tif 000006
【図６】
0004867866.tif 000007
【図７】
0004867866.tif 000008